(57)【要約】【課題】チップカードに対する外力が作用し難い取付構造を有する情報機器を提供することを課題とする。【解決手段】実施形態に係る情報機器は、筐体の収納部に収納されるスタンドを有する。この収納部は、チップカードを取り付けるための取付凹部を有する。また、この取付凹部の壁には、チップカードを装着するカードスロットが設けられている。【選択図】      図４
2014102541.tif 000002
【特許請求の範囲】
【請求項１】
筐体と、
スタンドと、
このスタンドを収納するように上記筐体に設けられた収納部と、
この収納部に設けられ、チップカードを取り付けるための取付凹部と、
この取付凹部の壁に設けられ、上記チップカードを装着するカードスロットと、
を有する情報機器。
【請求項２】
上記取付凹部を塞ぐ蓋体をさらに有する請求項１の情報機器。
【請求項３】
上記取付凹部を塞ぐ位置に上記蓋体を配置したとき上記チップカードに対する給電を許可し、且つ上記取付凹部を開いたときに上記チップカードに対する給電を遮断するスイッチをさらに有する請求項２の情報機器。
【請求項４】
上記蓋体は、上記取付凹部を塞ぐ位置に配置された状態で、上記カードスロットに装着された上記チップカードの抜けを押さえるカード押さえを有する請求項２の情報機器。
【請求項５】
上記スタンドは、上記収納部の縁に設けた第１ヒンジを中心に、上記収納部に納まる位置と使用状態に突出させた位置との間で回動可能に設けられ、
上記蓋体は、上記取付凹部の上記第１ヒンジに近い側の縁に設けた第２ヒンジを中心に、上記取付凹部を塞ぐ位置と上記取付凹部を開く位置との間で回動可能に設けられている請求項２の情報機器。
【請求項６】
上記蓋体は、上記スタンドを上記収納部に納める動作に連動して、上記取付凹部を塞ぐ位置に回動される請求項５の情報機器。
【請求項７】
上記取付凹部の周縁は、上記収納部の周縁より内側にあり、上記蓋体の開閉時に該蓋体が上記収納部の側壁に干渉しない請求項２の情報機器。
【請求項８】
上記収納部は、上記筐体の表面から凹んで設けられ、
上記取付凹部は、上記収納部の底からさらに凹んで設けられている請求項１の情報機器。
【請求項９】
上記カードスロットは、上記取付凹部の側壁に設けられ、
上記取付凹部の底壁には、上記カードスロットに装着された状態で上記カードスロットから突出した上記チップカードの部分をつかむ指を逃がすための凹みが設けられている請求項１の情報機器。
【請求項１０】
上記蓋体は、上記取付凹部の縁に設けた第２ヒンジを中心に、上記取付凹部を塞ぐ位置と上記取付凹部を開く位置との間で回動可能に設けられ、
上記凹みは、上記チップカードの摘む部分と上記第２ヒンジとの間に設けられている請求項９の情報機器。
【発明の詳細な説明】
【技術分野】
【０００１】
本発明の実施形態は、例えばＳＩＭ（Subscriber Identification Module）カードなどのチップカードを取り付けるための取付構造を有する情報機器に関する。
【背景技術】
【０００２】
従来、ＳＩＭカードなどのチップカードを搭載したＰＣカードが知られている。  
この種のＰＣカードは、例えば、チップカードの識別情報を情報機器に発信することで利用者を特定する無線通信用の送受信端末として利用される。
【先行技術文献】
【特許文献】
【０００３】
【特許文献１】特開２００６−３１１２６号公報
【発明の概要】
【発明が解決しようとする課題】
【０００４】
ＳＩＭカードは、衝撃に弱く、壊れ易いことが知られている。  
このため、ＳＩＭカードの取付構造は、できるだけＳＩＭカードに対して外力が作用し難い構造であることが望ましい。
【課題を解決するための手段】
【０００５】
実施形態に係る情報機器は、筐体の収納部に収納されるスタンドを有する。この収納部は、チップカードを取り付けるための取付凹部を有する。また、この取付凹部の壁には、チップカードを装着するカードスロットが設けられている。
【図面の簡単な説明】
【０００６】
【図１】図１は、実施形態に係る情報機器を示す外観斜視図である。
【図２】図２は、図１の情報機器を縦置きにした状態を示す外観斜視図である。
【図３】図３は、図１の情報機器の背面にあるスタンドを示す外観斜視図である。
【図４】図４は、図３のスタンドの収納部にある取付凹部を示す外観斜視図である。
【図５】図５は、図１の情報機器をＦ５−Ｆ５に沿って切断した断面図である。
【図６】図６は、図４の取付凹部の蓋をさらに開いた状態を示す部分拡大斜視図である。
【図７】図７は、図６の蓋を取り除いた状態を示す部分拡大斜視図である。
【図８】図８は、図６のＦ８−Ｆ８に沿って収納部および取付凹部を切断した部分拡大断面図である。
【図９】図９は、図６の蓋を取付凹部側から見た斜視図である。
【発明を実施するための形態】
【０００７】
以下、図面を参照しながら実施形態について詳細に説明する。  
図１および図２は、情報機器の一例として、デジタルフォトフレーム１００（以下、単にフォトフレーム１００と称する）を示す外観斜視図である。図１は、フォトフレーム１００をその長手方向が水平方向に沿う横置きの姿勢に立てた状態を示し、図２は、フォトフレーム１００を縦置きの姿勢に立てた状態を示す。以下の説明では、図１に示す横置きの状態を基準にして、上下左右方向を規定する。
【０００８】
フォトフレーム１００は、その前面側に液晶ディスプレイ１０１を備えている。また、フォトフレーム１００の前面の液晶ディスプレイ１０１の上方には、カメラ１０２が設けられている。また、フォトフレーム１００には、外部機器で撮影した画像を記憶した記憶装置として、例えば、図示しないメモリカードなどを脱着可能に取り付けできる。さらに、フォトフレーム１００の背面には、フォトフレーム１００を横置き或いは縦置きに配置することが可能なスタンド１０が設けられている。
【０００９】
図３および図４は、フォトフレーム１００を背面側から見た外観斜視図である。図３は、スタンド１０を収納部２から引き起こした状態を示し、図４は、収納部２の底壁２ａにある取付凹部４の蓋５（蓋体）を開いた状態を示す。図４に示すように、取付凹部４の中には、ＳＩＭカード２０（チップカード）を装着するためのカードスロット４ａが設けられている。しかし、ここでは、ＳＩＭカード２０の図示を省略してある。
【００１０】
ＳＩＭカード２０は、このフォトフレーム１００の使用者を特定するための識別情報を記憶させるためのＩＣカードである。つまり、このＳＩＭカード２０を別のフォトフレームに装着した場合、このフォトフレームに当該ＳＩＭカードに記憶してある識別情報を認識させることもできる。しかし、一般的に、このＳＩＭカード２０は、一旦、特定の情報機器に装着した場合、他の情報機器に付け替えることはしない。
【００１１】
スタンド１０は、フォトフレーム１００の筐体１００ａの背面側から凹んで設けられた略矩形の収納部２に対し、収納および引き起こし可能に設けられている。収納部２は、筐体１００ａの長手方向（図示左右方向）に延設された略長方形の凹部である。図３では、スタンド１０を収納部２から引き起こしている途中の状態を一点差線で示してある。
【００１２】
収納部２の図示右端には、スタンド１０を所望する向きに回転させるための回転体１２が設けられている。回転体１２は、スタンド１０の基端部を回動自在に取り付けたヒンジ部１２ａを有し、収納部２の図示右端に連続した略円筒形の凹部２ｂに対し、回転可能且つ脱落しないように嵌め込まれている。
【００１３】
図３に示す位置に回転体１２を回転させた状態でスタンド１０を収納部２から引き出すと（すなわち収納部２に収納されているスタンド１０を引き起こすと）、図２に示す縦置きの状態にフォトフレーム１００を立てることができる。一方、図１に示すように、フォトフレーム１００を横置きの姿勢に立てる場合、スタンド１０を収納部２から引き起こした後、回転体１２を図３の状態から時計回り方向に９０度回転させる。
【００１４】
図５は、図１のＦ５−Ｆ５に沿ったフォトフレーム１００の断面図である。図１では、スタンド１０を使用状態に引き出した状態を図示してあるが、図５では、スタンド１０を収納部２内に収納した状態の断面図を示してある。
【００１５】
筐体１００ａ内には、上述した液晶ディスプレイ１０１の背面側に、複数の電子部品３１を実装した回路基板３０が配置されている。回路基板３０の背面側には、ＳＩＭカード２０を装着するためのソケット２５が実装されている。
【００１６】
ＳＩＭカード２０を挿抜するためのソケット２５の開口、すなわちカードスロット４ａ（図４、５）は、スタンド１０の収納部２の底壁２ａよりさらに凹んだ取付凹部４の側壁４ｂに設けられている。なお、カードスロット４ａは、図１に示す横置きの状態にフォトフレーム１００を立てた状態で、取付凹部４の上方の側壁４ｂ（図４参照）に設けられている。つまり、ソケット２５は、ＳＩＭカード２０を挿抜するための開口がカードスロット４ａに対向する姿勢で回路基板３０に位置決めされて実装されている。取付凹部４が収納部２の底壁２ａよりさらに凹んで設けられているため、回路基板３０に子基板などを介さずにソケット２５を直接取り付けることができる。
【００１７】
以下、ＳＩＭカード２０を取り付けるための取付構造について、図６乃至図９を参照してより詳細に説明する。図６は、上述した取付凹部４の蓋５を大きく開いた状態を示す部分拡大斜視図である。また、図７は、蓋５を取り除いた状態の取付凹部４をさらに拡大して示す部分拡大斜視図である。また、図８は、スタンド１０の収納部２およびＳＩＭカード２０の取付凹部４をＳＩＭカード２０の挿抜方向に沿った中心線に沿って（図６のＦ８−Ｆ８に沿って）切断した部分拡大断面図である。さらに、図９は、蓋５を取付凹部４側、すなわち内側から見た斜視図である。
【００１８】
図６および図８に示すように、スタンド１０を収納するための収納部２は、フォトフレーム１００の筐体１００ａの背面側から凹んで設けられている。このため、スタンド１０が収納部２に収納されると、図５に示すように、スタンド１０の表面が筐体１００ａの背面と略面一になる。
【００１９】
また、取付凹部４は、収納部２の底壁２ａから筐体１００ａ内に向けてさらに凹んで設けられている。取付凹部４を蓋５で閉じると、図３および図５に示すように、蓋５の表面が収納部２の底壁２ａの表面と略面一になる。
【００２０】
つまり、スタンド１０を収納した状態では、蓋５はスタンド１０によって覆われることになる。言い換えると、取付凹部４に設けたカードスロット４ａにＳＩＭカード２０を装着すると、ＳＩＭカード２０は、２重の蓋、すなわちスタンド１０および蓋５によって２重に覆われることになり、ＳＩＭカード２０に不所望な外力が作用する不具合を略無くすことができ、ＳＩＭカード２０の保全性を強化することができる。
【００２１】
また、例えば図６に示すように、取付凹部４の短手方向（図示上下方向）に沿った幅は、収納部２の底壁２ａの幅より狭くなっている。このため、取付凹部４の蓋５を開閉する際に、蓋５の幅方向両端の周縁部が収納部２の長手方向に沿った内壁に干渉することがなく、蓋５の幅方向への移動も可能となる。
【００２２】
蓋５は、図９に示すフレキシブルに変形可能な接続片５１を介して取付凹部４の縁に接続されている。蓋５を取付凹部４に取り付ける場合、接続片５１の先端を取付凹部４のカードスロット４ａがある側壁４ｂとは別の側壁４ｃにある孔４１に差し込む。この際、接続片５１の途中にＶ字状に拡がった幅広部分５１ａが変形して孔４１を通過し、蓋５の脱落が防止される。
【００２３】
図９に示すように、蓋５は、比較的硬い樹脂と比較的柔らかい樹脂の２色成形により形成されている。比較的硬い樹脂により形成した第１部分５２は、比較的柔らかい樹脂により形成した第２部分５４が重なる内面側に、その周縁部に沿った枠状凸部５２ａと複数の長手方向に延びた直線状のリブ５２ｂを有する。また、第１部分５２の内面には、後述するスイッチ６０の突起６１を受け入れる比較的小さな矩形環状の枠状凸部５２ｃが突設されている。さらに、第１部分５２の内面には、上述した取付凹部４のカードスロット４ａに装着したＳＩＭカード２０の抜けを防止するためのカード押さえ５３（図５）が突設されている。
【００２４】
比較的柔らかい第２部分５４は、上述した第１部分５２の周縁部にある枠状凸部５２ａの内側に重ねられる。第２部分５４は、第１部分５２の複数のリブ５２ｂを通す細長い複数のスリット孔５４ａおよびスイッチ６０の枠状凸部５２ｃを通すための矩形の孔５４ｂを有する。また、第２部分５４は、第１部分５２の内面から一体に突設されたカード押さえ５３を挿通するためのスリット状の細長い孔５４ｃを有する。さらに、第２部分５４は、その長手方向一端に、ヒンジ部として機能する接続片５１を一体に有する。第２部分５４は、フレキシブルに折り曲げ可能な柔らかい材料により形成されているため、接続片５１をヒンジ部として機能させることにより蓋５の開閉が可能となる。
【００２５】
また、蓋５は、接続片５１と反対側の端縁部に、２つの爪５５ａ、５５ｂを有する。これら２つの爪５５ａ、５５ｂは、互いに離間して比較的硬い第１部分５２から一体に突設されており、蓋５を閉じた際に、取付凹部４の対応する側壁４ｄに設けられた２つの孔４２ａ、４２ｂにそれぞれラッチ留めされる。なお、取付凹部４の側壁４ｄには、２つの孔４２ａ、４２ｂの間に、蓋５を引っ掛ける爪を逃がすための凹所４３が設けられている。
【００２６】
図７に拡大して示すように、ＳＩＭカード２０は、カードスロット４ａに装着した図示の状態で、装着方向後端側が取付凹部４内に部分的に突出する大きさを有する。このＳＩＭカード２０をカードスロット４ａに対して挿抜する場合、ＳＩＭカード２０の後端側を指で摘んでカードスロット４ａに対して抜き差しする。このとき、図５に示すように、ＳＩＭカード２０と取付凹部４の底壁４０との間の隙間が殆ど無いため、取付凹部４の底壁４０には、指を逃がすための凹み４５が設けられている。
【００２７】
例えば、図６に示す状態からＳＩＭカード２０の後端側を指で摘んでカードスロット４ａから引き抜く場合、右手の親指と人差し指でＳＩＭカード２０を摘んで保持することが考えられる。この場合、人差し指の爪側が凹み４５に挿入される。なお、このとき、取付凹部４の蓋５は図示のように開いておく必要がある。しかし、蓋５の接続片５１が上述したように変形可能であるため、蓋５には閉じ位置に戻ろうとする復元力が作用する。よって、本実施形態では、右手の人差し指の第２関節あたりで蓋５を図示の状態に押さえながらＳＩＭカード２０を摘むことができるように、凹み４５をＳＩＭカード２０をつかむ部分と蓋５のヒンジ部との間にレイアウトした。
【００２８】
また、取付凹部４の底壁４０には、上述した蓋５の枠状凸部５２ｃに対向する位置に、スイッチ６０が設けられている。このスイッチ６０は、ＳＩＭカード２０に対する給電を許可或いは遮断するためのものである。
【００２９】
スイッチ６０の突起６１は、底壁４０に対して突没可能に設けられており、蓋５を閉じる動作に連動して、枠状凸部５２ｃの中に嵌め込まれて押し込まれるようになっている。枠状凸部５２ｃが比較的硬い第１部分５２と一体に形成されているため、スイッチ６０の突起６１は、蓋５の硬い部分によって押されることになり、確実なスイッチングが可能となる。
【００３０】
取付凹部４を塞ぐ位置に蓋５を閉じると、その動作に連動して、枠状凸部５２ｃの底面にスイッチ６０の突起６１の先端が当接し、枠状凸部５２ｃの内側底面によって突起６１が押し込まれ、スイッチ６０がＯＮになる。一方、蓋５を開けると、枠状凸部５２ｃの底面が突起６１の先端から離れ、図示しないバネにより突起６１が突出した元の位置（図６、７に示す位置）に戻り、スイッチ６０がＯＦＦにされる。スイッチＯＮでＳＩＭカード２０に対する給電が可能となり、スイッチＯＦＦでＳＩＭカード２０に対する給電が遮断される。
【００３１】
スイッチ６０の突起６１は、その先端に向けて収束する尖った形状を有する。これにより、枠状凹部５２ｃに対する突起先端の挿入を容易にできる。つまり、蓋５が接続片５１を介して比較的自由に移動可能に取り付けられているため、蓋５が取付凹部４の開口に対してずれた状態で閉められようとした場合に、突起６１の先端を枠状凸部５２ｃの中に容易に導くことができるようになっている。また、突起６１の先端が尖っていると、枠状凸部５２ｃの底面によって押圧される面積を小さくでき、より確実なスイッチングが可能となる。
【００３２】
図６に示すように、スイッチ６０は、蓋５のヒンジ部の近く、特に、指を逃がすための凹み４５よりヒンジ側の底壁４０に設けられている。このため、スイッチを蓋５の回動の先端側、例えば凹み４５より図示左側に配置した場合と比較して、スイッチ６０の突起６１を押し込むトルクを大きくすることができ、より確実なスイッチングが可能となる。
【００３３】
なお、蓋５は、スタンド１０の収納動作に連動して閉めることができる構造を有する。つまり、蓋５を閉めてスタンド１０を収納した図５の状態で、蓋５の表面とスタンド１０の表面との間には隙間が殆ど無い状態であるため、蓋５を開けたままスタンド１０を収納部２に収納すると、スタンド１０に押されて蓋５が取付凹部４を塞ぐ位置に閉じられることになる。
【００３４】
この場合、スタンド１０の収納時における回転方向と蓋５の閉じ位置に向かう回転方向を同じにする必要がある。つまり、本実施形態では、図４に示すように、蓋５の回動の中心となるヒンジ部（第２ヒンジ）をスタンド１０のヒンジ部１２ａ（第１ヒンジ）に近い側の取付凹部４の壁部４ｃに配置することで、蓋５の開閉方向をスタンド１０と同じ方向にしてある。これにより、スタンド１０の収納動作に連動して蓋５を閉じることができる。
【００３５】
これに対し、もし仮に、蓋５のヒンジ部を取付凹部４の逆側の壁部４ｄに配置した場合、収納部２に収納しようとするスタンド１０に蓋５の回動の先端が当接して支えてしまう可能性がある。この場合、蓋５が邪魔になってスタンド１０の収納ができなくなってしまう。
【００３６】
以上のように、本実施形態によれば、スタンド１０の収納部２の底壁２ａに取付凹部４を設け、この取付凹部４の側壁４ｂにＳＩＭカード２０を挿着するためのカードスロット４ａを設けたため、ＳＩＭカード２０を外力が作用しない位置に装着できる。特に、本実施形態では、取付凹部４に蓋５を設けたため、ＳＩＭカード２０を２重の蓋で塞ぐことができ、保全性を強化することができる。このため、不所望な外力によって、ＳＩＭカード２０を曲げたり折ったりして破損する不具合を防止でき、ＳＩＭカード２０に対する接触による故障やデータ消失などの不具合を低減することができる。
【００３７】
なお、上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【００３８】
例えば、上述した実施形態では、情報機器の一例としてデジタルフォトフレーム１００に本発明を適用した場合について説明したが、これに限らず、ノートＰＣ、タブレットＰＣ、小型テレビなどの他の情報機器に本発明を適用しても良い。
【００３９】
また、上述した実施形態では、チップカードの一例としてＳＩＭカード２０をフォトフレーム１００に装着した場合について説明したが、これに限らず、他のチップカードの取付構造に本発明を適用してもよい。
【符号の説明】
【００４０】
２…収納部、２ａ…底壁、４…取付凹部、４ａ…カードスロット、５…蓋、１０…スタンド、２０…ＳＩＭカード、４０…底壁、４５…凹み、５１…接続片、５２…第１部分、５２ｃ…枠状凸部、５４…第２部分、５３…カード押さえ、６０…スイッチ、６１…突起、１００…フォトスタンド。
【図１】
2014102541.tif 000003
【図２】
2014102541.tif 000004
【図３】
2014102541.tif 000005
【図４】
2014102541.tif 000006
【図５】
2014102541.tif 000007
【図６】
2014102541.tif 000008
【図７】
2014102541.tif 000009
【図８】
2014102541.tif 000010
【図９】
2014102541.tif 000011